(57)【要約】【課題】  表示部側筐体に操作部側筐体がその間に介在されたスライドユニットを介してスライド可能に取り付けられた携帯電話において、より一層薄型化することができるようにする。【解決手段】  表示部側筐体１内に設けられた回路基板と操作部側筐体１１内に設けられた回路基板とは、両筐体１、１２間に設けられたフレキシブル配線板２１を介して電気的に接続されている。スライドユニットは、表示部側筐体１の上面に設けられたベース板金３２と、ベース板金３２の上面に設けられたレール板金３３と、操作部側筐体１１の下面に設けられ、且つ、レール板金３３にスライド可能に取り付けられたスライダー板金とを有する。レール板金３３にはフレキシブル配線板逃げ用貫通孔３７が設けられている。そして、フレキシブル配線板２１の一部をフレキシブル配線板逃げ用貫通孔３７内に収容することにより、より一層薄型化することができる【選択図】図１０
2013008905.tif 000002
【特許請求の範囲】
【請求項１】
一の筐体に他の筐体がその間に介在されたスライドユニットを介してスライド可能に取り付けられ、前記一の筐体内に設けられた回路基板と前記他の筐体内に設けられた回路基板とが前記両筐体間に設けられたフレキシブル配線板を介して電気的に接続された携帯型電子機器において、前記スライドユニットを構成する少なくとも一つの部品に前記フレキシブル配線板の一部が収容されるフレキシブル配線板逃げ用貫通孔が設けられていることを特徴とする携帯型電子機器。
【請求項２】
前記スライドユニットは、前記一の筐体に取り付けられた一の板金と、前記他の筐体に取り付けられ、且つ、前記一の板金にスライド可能に取り付けられた他の板金とを有し、前記フレキシブル配線板逃げ用貫通孔は前記一の板金に設けられていることを特徴とする請求項１に記載の携帯型電子機器。
【請求項３】
前記一の板金は前記一の筐体に取り付けられたベース板金に取り付けられたレール板金からなり、前記他の板金は前記他の筐体に取り付けられたスライダー板金からなることを特徴とする請求項１または２に記載の携帯型電子機器。
【請求項４】
前記ベース板金に前記フレキシブル配線板逃げ用貫通孔と同様のフレキシブル配線板逃げ用貫通孔が設けられていることを特徴とする請求項３に記載の携帯型電子機器。
【発明の詳細な説明】
【技術分野】
【０００１】
この発明は携帯電話等の携帯型電子機器に関する。
【背景技術】
【０００２】
例えば、従来の携帯電話には、例えば特許文献１に記載のように、上面の手前側に操作部を有する操作部側筐体の上側に、上面に表示部を有する表示部側筐体が相対的にスライド可能に設けられ、操作部側筐体の上側に表示部側筐体が完全に重ね合わされた閉状態と、表示部側筐体に対して操作部側筐体を手前側にスライドさせて操作部側筐体の操作部を露出させた開状態とのいずれかに選択的に切り替えることができるようにしたものがある。
【０００３】
この従来の携帯電話では、表示部側筐体に対して操作部側筐体をスライド可能とするため、操作部側筐体の上面に設けられたスライドベース板金に、表示部側筐体の下面に設けられたスライドレール板金が相対的にスライド可能に取り付けられている。また、操作部側筐体内に設けられた操作部側回路基板と表示部側筐体内に設けられた表示部側回路基板とはフレキシブル配線板を介して電気的に接続されている。そして、スライドレール板金の所定の方向の両端部を下面側に向かって折り曲げ、この折り曲げにより形成されたスライドレール板金の下面側空間にフレキシブル配線板の一部を収容することにより、携帯電話の薄型化を図るようにしている（特許文献１の第２５段落参照）。
【先行技術文献】
【特許文献】
【０００４】
【特許文献１】特開２００８−１３１５４４号公報
【発明の概要】
【発明が解決しようとする課題】
【０００５】
しかしながら、上記従来の携帯電話では、スライドレール板金の下面側空間にフレキシブル配線板の一部を収容することにより、薄型化を図ることができるが、その薄型化に限界があるという問題がある。
【０００６】
そこで、この発明は、より一層薄型化することができる携帯型電子機器を提供することを目的とする。
【課題を解決するための手段】
【０００７】
この発明に係る携帯型電子機器は、一の筐体に他の筐体がその間に介在されたスライドユニットを介してスライド可能に取り付けられ、前記一の筐体内に設けられた回路基板と前記他の筐体内に設けられた回路基板とが前記両筐体間に設けられたフレキシブル配線板を介して電気的に接続された携帯型電子機器において、前記スライドユニットを構成する少なくとも一つの部品に前記フレキシブル配線板の一部が収容されるフレキシブル配線板逃げ用貫通孔が設けられていることを特徴とするものである。
【発明の効果】
【０００８】
この発明によれば、より一層薄型化することができる。
【図面の簡単な説明】
【０００９】
【図１】この発明の一実施形態としての携帯電話の一部を分解した状態における概略側面図。
【図２】スライドユニットの斜視図。
【図３】スライドユニットの分解斜視図。
【図４】スライドユニットおよび表示部側筐体の部分の分解斜視図。
【図５】図４に示すものの組立てた状態における一部の断面図。
【図６】スライダー板金のスライド動作を説明するために示す側面図。
【図７】スライドユニットにおいてスライダー板金を閉位置に位置させた状態における斜視図。
【図８】図７に示すスライドユニットにフレキシブル配線板の一端部を取り付けた状態における斜視図。
【図９】表示部側筐体に対して操作部側筐体を完全に重ね合わせた閉状態における概略断面図。
【図１０】図８の一部の拡大断面図。
【図１１】表示部側筐体に対して操作部側筐体を引き出した開状態における概略断面図。
【図１２】図１０の一部の拡大断面図。
【図１３】この発明の他の実施形態としての携帯電話の一部の斜視図。
【発明を実施するための形態】
【００１０】
図１はこの発明の一実施形態としての携帯電話の一部を分解した状態における概略側面図を示す。この携帯電話は、表示部側筐体１、操作部側筐体１１、フレキシブル配線板２１、スライドユニット３１等を備えている。表示部側筐体１は、内部に表示部側回路基板２を有し、下面に液晶表示パネル等からなる表示部（図示せず）を有し、左端部にレシーバ（図示せず）を有している。操作部側筐体１１は、内部に操作部側回路基板１２を有し、右側下面に複数のキーからなる操作部（図示せず）を有し、右端部にマイク（図示せず）を有している。
【００１１】
フレキシブル配線板２１の一端部は、後述の如く、表示部側回路基板２の右端部上面に電気的に接続されている。フレキシブル配線板２１の他端部は、後述の如く、操作部側回路基板１２の左端部下面に電気的に接続されている。なお、図１では、フレキシブル配線板２１とスライドユニット３１とが交差しているように図示しているが、これは図示の都合上であり、後述の如く、実際には交差していない。
【００１２】
次に、図２はスライドユニット３１の斜視図を示し、図３はスライドユニット３１の分解斜視図を示す。スライドユニット３１は、ベース板金３２、レール板金３３、スライダー板金３４、バネ３５等を備えている。ベース板金３２の手前側の所定の箇所にはスリット３６が設けられている。レール板金３３の中央部の所定の箇所には方形状のフレキシブル配線板逃げ用貫通孔３７が設けられている。レール板金３３の左右両側にはほぼＬ字形状のレール３８（図５参照）が設けられている。スライダー板金３４はほぼＨ字形状であり、その中央部にはスリット３９が設けられている。スライダー板金３４の左右両側にはほぼＵ字形状のガイド部４０（図５参照）が設けられている。
【００１３】
そして、レール板金３３はベース板金３２の上面にスポット溶接等により固定されている。スライダー板金３４は、そのガイド部４０がレール板金３３のレール３８の外側にスライド可能に取り付けられていることにより（図５参照）、レール板金３３の上側にスライド可能に取り付けられている。バネ３５の一端部は、レール板金３３の上面の所定の箇所に設けられたピン４１に取り付けられている。バネ３５の他端部は、スライダー板金３４の下面の所定の箇所に設けられたピン４２に取り付けられている。
【００１４】
次に、図４はスライドユニット３１および表示部側筐体１の部分の分解斜視図を示し、図５は図４に示すものの組立てた状態における一部の断面図を示す。スライドユニット３１のベース板金３２は、表示部側筐体１の内壁面に設けられた段差３に防水機能を兼ねた方形枠状の両面接着テープ４を介して貼り付けられている。ベース板金３２は強度を確保するためと、表示部側筐体１への固定のためのものである。ここで、図５に示すように、スライダー板金３４のガイド部の外面には樹脂膜４３に一体形成されている。
【００１５】
次に、図１および図３を参照して説明すると、スライダー板金３４は、スライダー板金３４の所定の４箇所に設けられたボス４４に挿通されたネジ（図示せず）が操作部側筐体筐体１１の図１において右端部下面にねじ込まれることにより、操作部側筐体筐体１１の図１において右端部下面に取り付けられている。
【００１６】
次に、図６はスライダー板金３４のスライド動作を説明するために示す側面図である。スライダー板金３４は、図６において実線で示す開位置（表示部側筐体１に対して操作部側筐体１１を引き出した開状態に対応する位置）と、図６において一点鎖線で示す閉位置（表示部側筐体１に対して操作部側筐体１１を完全に重ね合わせた閉状態に対応する位置）との間で、レール板金３３に対してスライド可能となっている。この場合、図３に示すバネ３５に蓄えられる力は、スライダー板金３４が開位置および閉位置にあるとき最小となり、スライダー板金３４が開位置と閉位置との中間位置にあるとき最大となる。
【００１７】
次に、図７はスライドユニット３１においてスライダー板金３４を閉位置に位置させた状態における斜視図を示し、図８は図７に示すスライドユニット３１にフレキシブル配線板２１の一端部を取り付けた状態における斜視図を示す。フレキシブル配線板２１の一端部２２および他端部２３はその間の中間部２４よりも幅広となっている。フレキシブル配線板２１の一端部２２は、図３に示すベース板金３２の上面においてスリット３６の近傍に両面接着テープ２５（図１参照）を介して貼り付けられている。また、フレキシブル配線板２１の一端部２２は、図３に示すベース板金３２のスリット３６を介して露出された中継フレキシブル配線板（図示せず）の先端部に圧着されている。この場合の中継フレキシブル配線板の基端部は図１に示す表示部側回路基板２に接続されている。
【００１８】
フレキシブル配線板２１の他端部２３は、図１に示す操作部側筐体１１の右側下面に両面接着テープ２６を介して貼り付けられている。また、フレキシブル配線板２１の他端部２２は、図３に示すスライダー板金３４のスリット３９を介して露出された中継フレキシブル配線板（図示せず）の先端部に圧着されている。この場合の中継フレキシブル配線板の基端部は図１に示す操作部側回路基板１２に接続されている。この状態では、フレキシブル配線板２１の中間部２４の一部はレール板金３３のフレキシブル配線板逃げ用貫通孔３７に対応する部分に配置されている。
【００１９】
次に、図９は表示部側筐体１に対して操作部側筐体１１を完全に重ね合わせた閉状態における概略断面図を示し、図１０は図９の一部の拡大断面図を示す。この閉状態では、図９に示すように、フレキシブル配線板２１の中間部２４は、一端部２２から左側に延びて１８０°折り曲げられ（以下、第１の折り曲げ部２７という）、第１の折り曲げ部２７から右側に延びて１８０°折り曲げられ（以下、第２の折り曲げ部２８という）、第２の折り曲げ部２８から左側に延びて他端部２３に接続されている。また、図１０に示すように、フレキシブル配線板２１の中間部２４の第１の折り曲げ部２７の近傍の一部は、ベース板金３２の上面に設けられたレール板金３３のフレキシブル配線板逃げ用貫通孔３７内に収容されている。ここで、フレキシブル配線板２１の中間部２４に第１、第２の折り曲げ部２７、２８を設けているのは、フレキシブル配線板２４に余長部分を持たせるためである。
【００２０】
次に、図１１は表示部側筐体１に対して操作部側筐体１１を引き出した開状態における概略断面図を示し、図１２は図１１の一部の拡大断面図を示す。この閉状態では、図１１に示すように、フレキシブル配線板２１の中間部２４の第１、第２の折り曲げ部２７、２８は、操作部側筐体１１の引き出しに応じて、図９に示す各位置よりもそれぞれ右側に所定の距離だけ移動している。また、図１２に示すように、フレキシブル配線板２１の中間部２４の第１の折り曲げ部２７の近傍の一部はレール板金３３のフレキシブル配線板逃げ用貫通孔３７内に収容されている。
【００２１】
以上のように、この携帯電話では、図１０に示すように、表示部側筐体１に対して操作部側筐体１１を完全に重ね合わせた閉状態、図１２に示すように、表示部側筐体１に対して操作部側筐体１１を引き出した開状態、さらには閉状態から開状態への移行中および開状態から閉状態への移行中において、フレキシブル配線板２１の中間部２４の第１の折り曲げ部２７の近傍の一部はレール板金３３のフレキシブル配線板逃げ用貫通孔３７内に収容されている。
【００２２】
ところで、図１０に示す閉状態から図１２に示す開状態に移行するときおよびその逆に移行するとき、フレキシブル配線板２１の中間部２４はその第１、第２の折り曲げ部２７、２８の各位置を変位させながら移動するため、中間部２４のスムーズな移動の確保や破損防止等を考慮すると、両筐体１、１１間にある程度の空間を設ける必要がある。上記実施形態では、フレキシブル配線板２１の中間部２４の第１の折り曲げ部２７の近傍の一部をレール板金３３のフレキシブル配線板逃げ用貫通孔３７内に収容することができるので、その分、上記空間を狭くすることができ、ひいては薄型化することができる。
【００２３】
また、レール板金３３にフレキシブル配線板逃げ用貫通孔３７を設けているので、レール板金３３が軽くなり、軽量化を図ることができる。この場合、フレキシブル配線板逃げ用貫通孔３７はレール板金３３とフレキシブル配線板２１の中間部２４とが干渉する領域にのみ設けると、フレキシブル配線板逃げ用貫通孔３７に起因するレール板金３３の強度低下を最小限とすることができる。
【００２４】
次に、図１３はこの発明の他の実施形態としての携帯電話の一部の斜視図を示す。この携帯電話において、図７に示すものと大きく異なる点は、ベース板金３２において、レール板金３３に設けられたフレキシブル配線板逃げ用貫通孔３７の位置と同じ位置に同じ形状のフレキシブル配線板逃げ用貫通孔５１を設けた点である。この場合、フレキシブル配線板逃げ用貫通孔５１の周囲におけるベース板金３２の下面は方形枠状の両面接着テープ５２を介して、図４に示す表示部側筐体１の内部底面に貼り付けられる。両面接着テープ５２は、フレキシブル配線板逃げ用貫通孔３７、５１の部分を防水、防塵するためのものである。
【００２５】
このようにした場合には、フレキシブル配線板２１の中間部２４の第１の折り曲げ部２７の近傍の一部をレール板金３７およびベース板金３２のフレキシブル配線板逃げ用貫通孔３７、５１内に収容することにより、より一層の薄型化および軽量化を図ることができる。
【００２６】
なお、この発明は、携帯電話に限らず、ＰＨＳ（Personal Handyphone System）、ＰＤＡ（Personal Data Assistance, Personal Digital Assistance:個人向け携帯型情報通信機器）等の携帯端末機器等の電子機器にも適用することができる。
【００２７】
以下、この発明の諸態様を付記としてまとめて記載する。
【００２８】
（付記１）
付記１の発明は、一の筐体に他の筐体がその間に介在されたスライドユニットを介してスライド可能に取り付けられ、前記一の筐体内に設けられた回路基板と前記他の筐体内に設けられた回路基板とが前記両筐体間に設けられたフレキシブル配線板を介して電気的に接続された携帯型電子機器において、前記スライドユニットを構成する少なくとも一つの部品に前記フレキシブル配線板の一部が収容されるフレキシブル配線板逃げ用貫通孔が設けられていることを特徴とする携帯型電子機器である。
【００２９】
（付記２）
付記２の発明は、前記スライドユニットは、前記一の筐体に取り付けられた一の板金と、前記他の筐体に取り付けられ、且つ、前記一の板金にスライド可能に取り付けられた他の板金とを有し、前記フレキシブル配線板逃げ用貫通孔は前記一の板金に設けられていることを特徴とする付記１に記載の携帯型電子機器である。
【００３０】
（付記３）
付記３の発明は、前記一の板金は前記一の筐体に取り付けられたベース板金に取り付けられたレール板金からなり、前記他の板金は前記他の筐体に取り付けられたスライダー板金からなることを特徴とする付記１または２に記載の携帯型電子機器である。
【００３１】
（付記４）
付記４の発明は、前記ベース板金に前記フレキシブル配線板逃げ用貫通孔と同様のフレキシブル配線板逃げ用貫通孔が設けられていることを特徴とする付記３に記載の携帯型電子機器である。
【符号の説明】
【００３２】
１  表示部側筐体
２  表示部側回路基板
１１  操作部側筐体
１２  操作部側回路基板
２１  フレキシブル配線板
３１  スライダユニット
３２  ベース板金
３３  レール板金
３４  スライダー板金
３５  バネ
３７、５１  フレキシブル配線板逃げ用貫通孔
【図１】
2013008905.tif 000003
【図２】
2013008905.tif 000004
【図３】
2013008905.tif 000005
【図４】
2013008905.tif 000006
【図５】
2013008905.tif 000007
【図６】
2013008905.tif 000008
【図７】
2013008905.tif 000009
【図８】
2013008905.tif 000010
【図９】
2013008905.tif 000011
【図１０】
2013008905.tif 000012
【図１１】
2013008905.tif 000013
【図１２】
2013008905.tif 000014
【図１３】
2013008905.tif 000015